(57)【要約】【課題】ユーザが記録紙を選択し直さなくても最適な記録紙サイズでファクシミリ通信により受信した画像を印刷可能とすることを目的とする。【解決手段】ファクシミリ通信により受信した画像データのサイズを記録紙サイズに変換する変換手段と、変換手段によりサイズを記録紙サイズに変換された画像データを保存する保存手段と、を有することによって課題を解決する。【選択図】図４
2016213633.tif 000002
【特許請求の範囲】
【請求項１】
ファクシミリ通信により受信した画像データのサイズを記録紙サイズに変換する変換手段と、
前記変換手段によりサイズを前記記録紙サイズに変換された前記画像データを保存する保存手段と、
を有する画像処理装置。
【請求項２】
前記受信した画像データのサイズに応じて変換する記録紙サイズを決定する決定手段を更に有し、
前記変換手段は、前記受信した画像データのサイズを前記決定手段により決定された前記記録紙サイズに変換する請求項１記載の画像処理装置。
【請求項３】
前記変換手段は、前記変換に関する設定値に応じて、前記変換の方法を判断し、前記判断した方法で前記受信した画像データのサイズを前記記録紙サイズに変換する請求項１又は２記載の画像処理装置。
【請求項４】
前記設定値を設定する設定手段を更に有する請求項３記載の画像処理装置。
【請求項５】
前記変換手段は、前記設定値としてトリミングが設定されていた場合、前記受信した画像データの一部を切り除いて前記受信した画像データのサイズを前記記録紙サイズに変換する請求項３又は４記載の画像処理装置。
【請求項６】
前記変換手段は、前記設定値として縮小が設定されていた場合、前記受信した画像データを縮小して前記受信した画像データのサイズを前記記録紙サイズに変換する請求項３又は４記載の画像処理装置。
【請求項７】
前記保存手段により保存された前記画像データのサイズに応じて記録紙を選択する選択手段と、
前記画像データに基づき前記選択手段により選択された記録紙に画像を印刷するよう制御する制御手段と、
を更に有する請求項１乃至６何れか１項記載の画像処理装置。
【請求項８】
画像処理装置が実行する情報処理方法であって、
ファクシミリ通信により受信した画像データのサイズを記録紙サイズに変換する変換ステップと、
前記変換ステップによりサイズを前記記録紙サイズに変換された前記画像データを保存する保存ステップと、
を含む情報処理方法。
【請求項９】
コンピュータを、請求項１乃至７何れか１項記載の画像処理装置の各手段として機能させるためのプログラム。
【発明の詳細な説明】
【技術分野】
【０００１】
本発明は、ファクシミリ通信により受信した画像を保存する画像処理装置、情報処理方法及びプログラムに関する。
【背景技術】
【０００２】
従来の画像処理装置ではファクシミリ通信により受信した画像を、ファイルに保存する際に、画像のサイズを調整することなく保存していた。
ファクシミリ通信では、ＩＴＵ−Ｔ．４勧告で規定されているとおり、画像の主走査サイズは２１５ミリ、２５５ミリ、３０３ミリに限られている。したがって、送信側から主走査サイズ２１０ミリ、副走査サイズ２９７ミリであるＡ４サイズの原稿を送信する場合、ファクシミリの通信経路上では、主走査サイズ２１５ミリ、副走査サイズ２９７ミリの画像が送信されることになる。受信側では受信した画像のサイズ変換を行わないため、主走査サイズ２１５ミリ、副走査サイズ２９７ミリの画像のファイルが作成され、保存されることになる。
【先行技術文献】
【特許文献】
【０００３】
【特許文献１】特開平１１−７５０５９号公報
【発明の概要】
【発明が解決しようとする課題】
【０００４】
しかしながら、上述のようにして作成されたファイルを、例えば、画像サイズに合わせて最適な記録紙を選択するモードで印刷しようとすると、デジタル複合機は、最適な記録紙を主走査サイズ２１５ミリのＬｅｇａｌ紙であると判定してしまう。そのため、Ａ４サイズで送信された画像がＬｅｇａｌサイズで印刷されてしまったり、Ｌｅｇａｌ紙を使用していない場合には、ユーザが印刷する記録紙を選択しなおす必要があったりして、使い勝手がよくない問題がある。
特許文献１には、ファクシミリ受信した長尺画像をプリンタの解像度に合わせて縮小して印刷する技術が開示されているが、上述した問題は解決できない。
本発明は、ユーザが記録紙を選択し直さなくても最適な記録紙サイズでファクシミリ通信により受信した画像を印刷可能とすることを目的とする。
【課題を解決するための手段】
【０００５】
そこで、本発明の画像処理装置は、ファクシミリ通信により受信した画像データのサイズを記録紙サイズに変換する変換手段と、前記変換手段によりサイズを前記記録紙サイズに変換された前記画像データを保存する保存手段と、を有する。
【発明の効果】
【０００６】
本発明によれば、ユーザが記録紙を選択し直さなくても最適な記録紙サイズでファクシミリ通信により受信した画像を印刷可能とすることができる。
【図面の簡単な説明】
【０００７】
【図１】ネットワークシステムのシステム構成の一例を示す図である。
【図２】デジタル複合機のハードウェア構成の一例を示す図である。
【図３】デジタル複合機のファクシミリ通信の一例を示すシーケンス図である。
【図４】ファクシミリ受信データをファイル保存する際に実施される情報処理の一例を示すフローチャートである。
【図５】Ｓ４０６０の画像サイズ調整処理の一例を示すフローチャートである。
【発明を実施するための形態】
【０００８】
以下、本発明の実施形態について図面に基づいて説明する。
【０００９】
＜実施形態１＞
図１は、ネットワークシステムのシステム構成の一例を示す図である。図１においてネットワーク１００にはプリンタ１０３やデジタル複合機１０５等にプリント依頼を出すコンピュータ１０１、１０２が接続されている。更に、ネットワーク１００には、コンピュータ１０１等からのプリント依頼を受け付けるプリンタ１０３、ＩＦＡＸ受信等可能なファクシミリ装置１０４、デジタル複合機１０５が接続されている。また、このデジタル複合機１０５には電話回線であるＰＳＴＮ回線１０６が接続されている。デジタル複合機１０５は、画像処理装置の一例である。
【００１０】
図２は、デジタル複合機１０５のハードウェア構成の一例を示す図である。
スキャナ部２０１は、システム制御部２０８の制御に基づき指定されたモード（例えば、紙サイズ、解像度、濃度等）で原稿をスキャンする。プリンタ部２０２は、複数の記録紙トレイを有し、各記録紙トレイには各記録紙トレイに応じたサイズの記録紙がセットされている。また、プリンタ部２０２は、システム制御部２０８の制御に基づきＨＤ２１１に保存されている画像に関するファイルデータのサイズに応じて、記録紙を選択し、記録紙に画像を印刷する。そして、プリンタ部２０２は、画像を印刷した記録紙をフィニッシャー等の排紙装置を介し、排紙トレイに出力する。操作部表示部２０３は、システム制御部２０８の制御に基づき、設定画面を表示したり、ユーザの設定操作に応じて、前記設定画面を介した設定情報を受け付けたりする。画像処理部２０４は、システム制御部２０８の制御に基づき送信する画情報をデータに符号化し、データ圧縮する一方、受信した圧縮データを複合化し、元の画情報に復元する。更に、画像処理部２０４は、システム制御部２０８の制御に基づきスキャンや、ファクシミリ受信した画像データをＪＰＥＧ、ＴＩＦＦ、ＰＤＦ（Ｐｏｒｔａｂｌｅ  Ｄｏｃｕｍｅｎｔ  Ｆｏｒｍａｔ）等の形式のファイルに変換を行う。また、画像処理部２０４は、システム制御部２０８の制御に基づきその逆にＪＰＥＧ、ＴＩＦＦ、ＰＤＦ  等の形式のファイルを印刷可能な画像フォーマットへの変換も行う。
【００１１】
ネットワーク制御部２０５は、システム制御部２０８の制御に基づきデジタル複合機１０５をＬＡＮに接続し、他のネットワーク環境下の機器と情報の入出力を行う。システムメモリ２０６は、ＲＡＭ部及びＲＯＭ部からなり、デジタル複合機１０５に予め登録しておく情報やシステム制御部２０８が処理を実行する際に利用する情報等が格納される。ページメモリ２０７は、符号化・複合化を行う際に１ページ分の画情報を展開するためのメモリである。システム制御部２０８は、図２の各ハードウェア構成を監視・制御するマイクロコンピュータである。暗号化部２０９は、システム制御部２０８の制御に基づきＨＤ２１１に画像データを蓄積する際に、画像データを暗号化する。画像データを非暗号化のまま蓄積する場合には画像処理部２０４にて符号化されたデータがそのままＨＤ２１１に保存する。暗号化して蓄積する場合には符号化されたデータを更に暗号化部２０９にて暗号化した後、ＨＤ２１１に保存される。ファクシミリ制御部２１０は、ＰＳＴＮ回線等のファクシミリ回線に接続されている。ファクシミリ制御部２１０は、このＰＳＴＮ回線を介して他のファクシミリ装置と通信するものであり、ＩＴＵ−Ｔ勧告Ｖ．８、Ｖ．２１、Ｖ．２３、Ｖ．２７ｔｅｒ、Ｖ．２９、Ｖ．１７、Ｖ．３４の通信プロトコルにてファクシミリ通信可能である。ＨＤ（ハードディスク）２１１は、不揮発性のメモリからなり、受信した文書やスキャンした文書等を格納する。
システム制御部２０８がシステムメモリ２０６又はＨＤ２１１に記憶されたプログラムに基づき処理を実行することによって、デジタル複合機１０５の機能及び後述するフローチャートの処理等が実現される。
【００１２】
図３は、デジタル複合機１０５のファクシミリ通信の一例を示すシーケンス図である。
送信側のファクシミリ装置（送信機）から受信側のファクシミリ装置（受信機）に発呼すると受信機は一次応答信号を送信機に送出する。送信機は一次応答信号を受信後、Ｖ．２３モデム信号にてナンバーディスプレイ情報（ナンバーディスプレイ）３０１を受信機に伝える。受信機は、Ｖ．２３モデム信号を受けた後、受信完了信号を網へ通知する。次に受信機は、網からの呼び出し信号であるＣＩ信号を受信すると二次応答信号を網に返す。その後、受信機は、従来のファクシミリ手順であるところのＣＥＤ３０２を送出する。続けて、受信機は、受信機の能力情報ＤＩＳ、受信機の登録電話番号情報ＣＳＩ、オプションであるＮＳＦ信号３０３を送出する。受信機より通知された上記ＤＩＳ、ＣＳＩ、ＮＳＦ信号を受け、送信機は送信指示情報ＤＣＳ、送信機の登録電話番号情報ＴＳＩ、オプションであるＮＳＳ信号３０４を送出する。続けて、送信機は、ダミー画像信号であるＴＣＦ信号３０５を送出する。受信機は、ＴＣＦ信号を受信後、このダミー画像信号を受信可能であると判断したならば肯定応答であるＣＦＲ信号３０６を送出する。ＣＦＲ信号を受信した送信機は、画像データＰＩＸ３０７を送出する。更に、送信機は、ページの終端を示すＰＰＳ−Ｑ（ＰＰＳ−ＭＰＳ、ＰＰＳ−ＥＯＰ、ＰＰＳ−ＥＯＭ）信号３０８を送出する。ＰＰＳ−Ｑ信号を受信した受信機は、受信した画像データが正常であればＭＣＦ信号３０９を送出する。ＭＣＦ信号を受信した送信機はすべての画像データを送信完了したならば終了するために切断信号ＤＣＮ３１０を送出し、ファクシミリ通信シーケンスを終了する。ＤＣＳ信号を受信した受信機も同様にファクシミリ通信シーケンスを終了する。
【００１３】
図４は、ファクシミリ受信データをファイル保存する際に実施される情報処理の一例を示すフローチャートである。
図４に示す処理はファクシミリ通信により受信した画像データをファイルに保存するときに開始される。
Ｓ４０１０では、システム制御部２０８は、ファクシミリ受信した画像データを取得し、画像データのサイズの主走査サイズ、副走査サイズを取得する。
Ｓ４０２０では、システム制御部２０８は、主走査サイズにより処理を以下のように分岐する。システム制御部２０８は、主走査サイズが２１５ｍｍならＳ４０３０に、２５５ｍｍならＳ４０４０に、３０３ｍｍならＳ４０５０に処理を進める。
Ｓ４０３０では、システム制御部２０８は、表１を参照して、副走査サイズがどのサイズ以上であるかを判定する。システム制御部２０８は、副走査サイズが２７９．４ｍｍより小さければ判定なしとする。
例えば、システム制御部２０８は、主走査サイズが２９７ｍｍであればＡ４と判定し、２８０ｍｍであればＬＴＲと判定する。
【００１４】
【表１】
2016213633.tif 000003
【００１５】
Ｓ４０４０では、システム制御部２０８は、表２を参照して、副走査サイズがどのサイズ以上であるかを判定する。システム制御部２０８は、副走査サイズが３６４ｍｍより小さければ判定なしとする。
例えば、システム制御部２０８は、副走査サイズが３６４ｍｍ以上であればＢ４と判定する。
【００１６】
【表２】
2016213633.tif 000004
【００１７】
Ｓ４０５０では、システム制御部２０８は、表３を参照して、副走査サイズがどのサイズ以上であるかを判定する。システム制御部２０８は、副走査サイズが４２０ｍｍより小さければ判定なしとする。
例えば、システム制御部２０８は、副走査サイズが４２０ｍｍであればＡ３と判定し、４３２ｍｍ以上であれば１１×１７と判定する。
【００１８】
【表３】
2016213633.tif 000005
【００１９】
Ｓ４０６０では、システム制御部２０８は、画像サイズの調整処理を実施する。本処理については後述する図５を用いて別途説明する。
Ｓ４０７０では、システム制御部２０８は、システムメモリ２０６に設けられたＳＲＡＭ領域に保存されている保存ファイル形式の設定情報を参照する。保存ファイル形式の設定情報は操作部表示部２０３を介して操作者等が設定可能になっており、設定値としては、「ＪＰＥＧ」、「ＴＩＦＦ」、「ＰＤＦ」等が選択可能となっている。即ち、システム制御部２０８は、操作部表示部２０３を介して操作者等の設定操作に応じて、ＳＲＡＭ領域に保存されている保存ファイル形式の設定情報の設定値を設定、又は変更することができる。
Ｓ４０８０では、システム制御部２０８は、Ｓ４０７０で取得した保存ファイル形式の設定値に合わせて、画像処理部２０４を制御してＳ４０６０でサイズ調整された画像をファイルに変換する変換処理を行う。
Ｓ４０９０では、システム制御部２０８は、Ｓ４０８０で生成したファイルのデータをＨＤ２１１に保存する。
Ｓ４１００では、システム制御部２０８は、処理が終わったページが最終ページかどうかの判定を行い、最終ページであればＳ４１１０に処理を進め、最終ページでなければ、Ｓ４０１０に処理を戻す。
Ｓ４１１０では、システム制御部２０８は、ファイルの終端の処理を行う。例えば、システム制御部２０８は、ファイルがＰＤＦ形式等の場合、ファイルの終端にファイルトレーラ情報を保存することで、ファイルの終端の処理を行う。
これでファクシミリ受信データをファイル保存する処理は終了となる。
【００２０】
図５は、Ｓ４０６０の画像サイズ調整処理の一例を示すフローチャートである。
Ｓ５０１０では、システム制御部２０８は、前のステップ（Ｓ４０３０〜Ｓ４０５０の何れかのステップ）の処理で決定したサイズを変数に保存する。
Ｓ５０２０では、システム制御部２０８は、システムメモリ２０６に設けられたＳＲＡＭ領域に保存されているファイル保存時サイズ調整処理の設定情報を参照する。ファイル保存時サイズ調整処理の設定情報は操作部表示部２０３を介して操作者等が設定可能になっており、設定値としては、「トリムする（トリミング）」、「縮小する」、「調整しない」等が選択可能となっている。即ち、システム制御部２０８は、操作部表示部２０３を介した操作者等の設定操作に応じて、ＳＲＡＭ領域に保存されているファイル保存時サイズ調整処理の設定情報の設定値を設定、又は変更することができる。本実施形態では、デジタル複合機１０５の出荷時等にデジタル複合機１０５の販売先、又は販売エリア等に応じて、「トリムする（トリミング）」、「縮小する」等の設定値がデフォルト値として予め設定されているものとする。
ここで、システム制御部２０８は、設定値により以下のように処理を分岐する。システム制御部２０８は、設定値が「トリムする」の場合、Ｓ５０３０に、「縮小する」の場合、Ｓ５０５０に処理を進め、「調整しない」の場合、図５に示すフローチャートの処理を終了する。
【００２１】
Ｓ５０３０では、システム制御部２０８は、システムメモリ２０６に設けられたＳＲＡＭ領域に保存されているトリム限度設定情報を参照する。トリム限度設定情報は操作部表示部２０３を介して操作者等が設定可能になっており、設定値としては、「７０」パーセントから「９９」パーセントまでの整数値が選択可能となっている。即ち、システム制御部２０８は、操作部表示部２０３を介した操作者等の設定操作に応じて、ＳＲＡＭ領域に保存されているトリム限度設定情報の設定値を設定、又は変更することができる。
次に、システム制御部２０８は、画像の副走査サイズから仮の副走査サイズにトリムするとき、トリム後のサイズが元の画像サイズの何パーセントになるかを計算する。システム制御部２０８は、計算した値がトリム限度設定の設定値以上であれば、Ｓ５０４０に処理を進め、トリム限度設定の設定値以上でなければ、Ｓ５０７０に処理を進める。
Ｓ５０４０では、システム制御部２０８は、トリム、即ち画像データの一部を切り除く処理、を実施して画像サイズが仮サイズになるように画像サイズを調整する。また、システム制御部２０８は、トリム後のサイズがＡ４である場合、副走査方向だけでなく、主走査方向もサイズがＡ４になるようにトリムを行う。
【００２２】
Ｓ５０５０では、システム制御部２０８は、システムメモリ２０６に設けられたＳＲＡＭ領域に保存されている縮小限度設定情報を参照する。縮小限度設定情報は操作部表示部２０３を介して操作者等が設定可能になっており、設定値としては、「７０」パーセントから「９９」パーセントまでの整数値が選択可能となっている。即ち、システム制御部２０８は、操作部表示部２０３を介した操作者等の設定操作に応じて、ＳＲＡＭ領域に保存されている縮小限度設定情報の設定値を設定、又は変更することができる。
次に、システム制御部２０８は、画像の副走査サイズから仮の副走査サイズに縮小するとき、縮小後のサイズが元の画像サイズの何パーセントになるかを計算する。システム制御部２０８は、計算した値が縮小限度設定の設定値以上であれば、Ｓ５０６０に処理を進め、縮小限度設定の設定値以上でなければ、Ｓ５０７０に処理を進める。
Ｓ５０６０では、システム制御部２０８は、縮小処理を実施して画像サイズが仮サイズになるように画像サイズを調整する。
【００２３】
Ｓ５０７０では、システム制御部２０８は、システムメモリ２０６に設けられたＳＲＡＭ領域に保存されているファイル作成時分割設定情報を参照する。ファイル作成時分割設定情報は操作部表示部２０３を介して操作者等が設定可能になっており、設定値としては、「する」、「しない」が選択可能となっている。即ち、システム制御部２０８は、操作部表示部２０３を介した操作者等の設定操作に応じて、ＳＲＡＭ領域に保存されているファイル作成時分割設定情報の設定値を設定、又は変更することができる。システム制御部２０８は、設定値が「する」の場合、Ｓ５０８０に処理を進め、設定値が「しない」の場合、図５に示すフローチャートの処理を終了する。
Ｓ５０８０では、システム制御部２０８は、システムメモリ２０６に設けられたＳＲＡＭ領域に保存されているファイル作成時分割サイズ設定情報を参照する。ファイル作成時分割サイズ設定情報は操作部表示部２０３を介して操作者等が設定可能になっており、設定値としては、「Ａ４」、「ＬＴＲ」、「ＬＧＬ」が選択可能となっている。即ち、システム制御部２０８は、操作部表示部２０３を介した操作者等の設定操作に応じて、ＳＲＡＭ領域に保存されているファイル作成時分割サイズ設定情報の設定値を設定、又は変更することができる。システム制御部２０８は、ファイル作成時分割サイズ設定情報の設定値に従い、副走査サイズを設定されたサイズの副走査サイズ毎に画像を分割する。
そして、システム制御部２０８は、図５に示すフローチャートの処理を終了する。
【００２４】
以上説明したように、上述した実施形態によれば、ファクシミリ通信で受信した画像を記録紙サイズに応じて縮小又はトリミングしてファイルに保存することができるようになる。したがって、保存したファイルを画像サイズに合わせて最適な記録紙を選択するモードで印刷する場合に、送信元の原稿と同じサイズの記録紙に印刷できる。
よって、ユーザが記録紙を選択し直さなくても最適な記録紙サイズでファクシミリ通信により受信した画像を印刷可能とすることができる。
【００２５】
＜その他の実施形態＞
本発明は、上述の実施形態の１以上の機能を実現するプログラムを、ネットワーク又は記憶媒体を介してシステム又は装置に供給する。そして、そのシステム又は装置のコンピュータにおける１つ以上のプロセッサーがプログラムを読み出し実行する処理でも実現可能である。また、１以上の機能を実現する回路（例えば、ＡＳＩＣ）によっても実現可能である。
【００２６】
以上、本発明の好ましい実施形態について詳述したが、本発明は係る特定の実施形態に限定されるものではない。
【符号の説明】
【００２７】
１０５  デジタル複合機
２０８  システム制御部
２１１  ＨＤ
【図１】
2016213633.tif 000006
【図２】
2016213633.tif 000007
【図３】
2016213633.tif 000008
【図４】
2016213633.tif 000009
【図５】
2016213633.tif 000010